(57)【要約】    【課題】  本発明の目的は、直接形メタノール燃料電池において、燃料であるメタノール水溶液を燃料カートリッジから補給する際に、メタノール水溶液の漏洩を防止し、燃料カートリッジを着脱自在に装着可能な燃料カートリッジ及び電子機器を提供することにある。    【解決手段】  本発明は、燃料を収納する燃料室となる燃料カートリッジ筐体と、該筐体内の前記燃料を燃料電池内に供給する供給口に連通し前記燃料電池に前記燃料を補給する補給口に接続させる接続手段とを備え、該接続手段は前記筐体に対して凹状又は凸状に形成されていることを特徴とする燃料カートリッジにある。【選択図】  図１
2005116211.tif 000002
【特許請求の範囲】
【請求項１】
燃料を収納する燃料室となる燃料カートリッジ筐体と、該筐体内の前記燃料を燃料電池内に供給する供給口に連通し前記燃料電池に前記燃料を補給する補給口に接続させる接続手段とを備え、該接続手段は前記筐体に対して凹状又は凸状に形成されていることを特徴とする燃料カートリッジ。
【請求項２】
請求項１において、前記接続手段は弾性体によって押圧されストッパによって前記燃料の漏洩を防止する流路弁と、該流路弁の前記ストッパ側に設けられ前記流路弁を前記燃料の収納側に押圧する押圧部材とを有し、該押圧部材を押圧することによって前記燃料を前記供給口より流出させることを特徴とする燃料カートリッジ。
【請求項３】
燃料電池が組み込まれ電子装置を有する筐体と、前記燃料電池用の燃料を収納する燃料室に連通し前記燃料電池に前記燃料を供給する供給口を有する燃料カートリッジを収納する収納手段と、該収納手段内に設けられ前記燃料電池に前記燃料が補給される補給口に連通し前記供給口に接続される接続手段とを備え、該接続手段は前記収納手段内に凹状又は凸状に形成されていることを特徴とする電子機器。
【請求項４】
請求項３において、前記接続手段は弾性体によって押圧されストッパによって前記燃料の漏洩を防止する流路弁と、該流路弁の前記ストッパ側に設けられ前記流路弁を前記燃料の収納側に押圧する押圧部材とを有し、該押圧部材を押圧することによって前記燃料を前記補給口より流入させることを特徴とする電子機器。
【請求項５】
燃料電池が組み込まれ電子装置を有する筐体と、前記燃料電池用の燃料を収納する燃料室となる燃料カートリッジ筐体と前記燃料電池に前記燃料を供給する供給口を有する燃料カートリッジを収納する収納手段と、該収納手段内に設けられ前記燃料電池に前記燃料が補給される補給口と前記供給口とを互いに着脱自在に接続する接続手段とを備え、前記接続手段は前記燃料カートリッジ筐体と収納手段内とに対して各々凹状又は凸状に形成され、前記接続手段は凹状と凸状とによって互いに嵌め合う構造を有することを特徴とする電子機器。
【請求項６】
請求項５において、前記接続手段は、互いに接続前に前記燃料の漏洩を防止し接続時の押圧によって前記燃料の流路が開かれる接続構造を有することを特徴とする電子機器。
【請求項７】
請求項５又は６において、前記接続手段は、弾性体によって押圧されストッパによって前記燃料の漏洩を防止する流路弁と、該流路弁の前記ストッパ側に設けられ前記流路弁を前記燃料の収納側に押圧する押圧部材とを有し、該押圧部材の前記接続時の押圧によって前記燃料を前記供給口より流出させると共に前記補給口に流入させることを特徴とする電子機器。
【請求項８】
請求項５〜７のいずれかにおいて、前記収納手段及び燃料カートリッジの少なくとも一方の前記ストッパがゴム製部材からなることを特徴とする電子機器。
【請求項９】
請求項５〜８のいずれかにおいて、前記供給口と補給口とは互いに押圧挿入され、一方の内周面に他方の外周面が互いに接して前記燃料の漏洩がないように互いに密着して前記挿入されていることを特徴とする電子機器。
【請求項１０】
請求項５〜９のいずれかにおいて、前記収納手段は前記燃料カートリッジの供給口を前記補給口に押圧させる弾性部材を有することを特徴とする電子機器。
【請求項１１】
請求項５〜１０のいずれかにおいて、前記燃料がメタノール溶液を有する液体燃料であることを特徴とする電子機器。
【発明の詳細な説明】
【技術分野】
【０００１】
本発明は、新規な燃料カートリッジ及び電子機器に関する。
【背景技術】
【０００２】
近年、電話器、パーソナルコンピュータ、オーディオビジュアル機器、情報端末機器等の携帯用電子機器は小型化と共に高性能化が益々進み、それに伴い電源である二次電池にも小型化、軽量化及び高エネルギー密度化等が要求されている。二次電池では一定量の電力消費後に、充電することが必要であり、充電時間や充電設備等に対する課題も多い。また、燃料電池の分野で既に家庭用電源等で実用化されている固体高分子型燃料電池は、燃料である水素ガスを作り出すための改質器を必要とし（ただし、水素ガスを充填したボンベ等から供給する場合は不要）、さらに動作温度が高い等の性質を有することから、携帯用電子機器類の電源としての適用が困難な状況にある。
一方、直接形メタノール燃料電池はメタノール水溶液を改質あるいはガス化せずに直接燃料として供給し、発電することを基本とする。したがって、改質器が不要であるために小型化及び軽量化が容易で、又、動作温度が低温である等の特長を有し、携帯用電子機器の電源として期待されている。
【０００３】
直接形メタノール燃料電池では、燃料であるメタノール水溶液が電池の駆動と共に消費されるため、消費量に応じてメタノール水溶液を補給する必要があり、補給を繰り返し行うことで携帯用電子機器を長時間駆動させることが可能になる。直接形メタノール燃料電池における燃料供給方式は、特許文献１及び特許文献３に開示される様に、直接形メタノール燃料電池本体に直結されている燃料タンクから供給する場合と、特許文献２に開示される様に、電池本体に燃料タンクを有せず、燃料カートリッジを直接燃料電池本体に組み込んで使用する場合とに大別できる。前者の燃料タンクを有する場合も、燃料タンクへの燃料補給はカートリッジ方式とすることで、繰り返し燃料の補給が可能になる。この様に、直接形メタノール燃料電池では、燃料の補給方法をカートリッジ方式にすることで燃料補給の簡便化が図られ、携帯用電子機器の電源としての普及が一段と加速できると期待されている。
【０００４】
【特許文献１】特開2001-313046号公報
【特許文献２】特開2003-17102号公報
【特許文献３】特開2001-93551号公報
【発明の開示】
【発明が解決しようとする課題】
【０００５】
ところで、燃料として使用するメタノールは毒物及び劇物取締法に定められる劇物であり、さらに消防法で危険物区分の第４類アルコール類に指定されている。したがって、カートリッジの取り扱い時には、メタノール水溶液の人体への付着や周囲への汚染等を防止する必要がある。
【０００６】
しかし、前述のいずれの特許文献においても、直接形メタノール燃料電池に、燃料であるメタノール水溶液を燃料カートリッジから補給する際に、燃料カートリッジを一体に結合する構造は示されていない。
【０００７】
本発明の目的は、直接形メタノール燃料電池において、燃料であるメタノール水溶液を燃料カートリッジから補給する際に、メタノール水溶液の漏洩を防止し、燃料カートリッジを着脱自在に装着可能で、デットスペースを無くす燃料カートリッジ及び電子機器を提供することにある。
【課題を解決するための手段】
【０００８】
本発明は、燃料を収納する燃料室となる燃料カートリッジ筐体と、該筐体内の前記燃料を燃料電池内に供給する供給口に連通し前記燃料電池に前記燃料を補給する補給口に接続させる接続手段とを備え、該接続手段は前記筐体に対して凹状又は凸状に形成されていることを特徴とする燃料カートリッジにある。
【０００９】
又、本発明は、燃料電池が組み込まれ電子装置を有する筐体と、前記燃料電池用の燃料を収納する燃料室に連通し前記燃料電池に前記燃料を供給する供給口を有する燃料カートリッジを収納する収納手段と、該収納手段内に設けられ前記燃料電池に前記燃料が補給される補給口に連通し前記供給口に接続される接続手段とを備え、該接続手段は前記収納手段内に凹状又は凸状に形成されていることを特徴とする電子機器にある。
前記接続手段は、弾性体によって押圧されストッパによって前記燃料の漏洩を防止する流路弁と、該流路弁の前記ストッパ側に設けられ前記流路弁を前記燃料の収納側に押圧する押圧部材とを有し、該押圧部材を押圧することによって前記燃料を前記供給口より流出させると共に、前記補給口より流入させる構造が好ましい。
【００１０】
更に、本発明は、燃料電池が組み込まれ電子装置を有する筐体と、前記燃料電池用の燃料を収納する燃料室となる燃料カートリッジ筐体と前記燃料電池に前記燃料を供給する供給口を有する燃料カートリッジを収納する収納手段と、該収納手段内に設けられ前記燃料電池に前記燃料が補給される補給口と前記供給口とを互いに着脱自在に接続する接続手段とを備え、前記接続手段は前記燃料カートリッジ筐体と収納手段内とに対して各々凹状又は凸状に形成され、前記接続手段は凹状と凸状とによって互いに嵌め合う構造を有することを特徴とする電子機器にある。
前記接続手段は、互いに接続前に前記燃料の漏洩を防止し接続時の押圧によって前記燃料の流路が開かれる接続構造を有することが好ましい。
【００１１】
前記収納手段及び燃料カートリッジの少なくとも一方の前記ストッパがゴム製部材からなること、前記供給口と補給口とは互いに押圧挿入され、一方の内周面に他方の外周面が互いに接して前記燃料の漏洩がないように互いに密着して前記挿入されていること、又、前記収納手段は前記燃料カートリッジの供給口を前記補給口に押圧させる弾性部材を有すること、更に又、前記燃料がメタノール溶液を有する液体燃料であることが好ましい。
【００１２】
本発明は、電解質膜を介して一方の表面にアノード極と、他方の表面にカソード極とを有し、前記アノード極にメタノール溶液、前記カソード極に酸化性ガスを供給することによって発電される直接形メタノール燃料電池への適用において好ましいものである。
本発明者等によれば、メタノール溶液供給用カートリッジの取り扱い時にメタノール溶液が漏れる最大の原因が、メタノール溶液供給用カートリッジの供給口と直接形メタノール燃料電池の補給口との接続が不十分であることを見出した。本発明は、メタノール水溶液供給用カートリッジの供給口と直接形メタノール燃料電池の補給口とが確実に接続していなければ、メタノール水溶液が供給されない接続器具（プラブ部とソケット部の2個の部品から構成され、両者を接続することで接続機能を果たす）を供給口と補給口に取り付けることによって、メタノール水溶液の漏れを防止できることである。更に、本発明においては、接続器具として燃料カートリッジ筐体と収納手段内とに対して各々凹状又は凸状に形成され、凹状と凸状とによって互いに嵌め合う構造を有することで、接続器具をメタノール水溶液供給用カートリッジの外寸法内に収納することができ、その接続器具を取り付けたことによって生じたデッドスペースの排除を図ったものである。
【００１３】
本発明は、メタノール水溶液供給用カートリッジの供給口とメタノール燃料電池の補給口とを接続する接続器具は、燃料のメタノール水溶液を漏らさないために供給口と補給口とが接続されていない場合や接続が不十分な場合に流路が閉じており、供給口と補給口とが正しく接続された時のみ流路が開かれるものである。このような機能はメタノール水溶液供給用カートリッジの供給口と直接形メタノール燃料電池の燃料補給口との接続時の押圧によって、供給口と補給口との流路の開閉を制御するものである。ここで、接続時の流路を開状態にするための押圧を維持するには、接続器具に接続を維持するためのロック機構やある応力以上で嵌め込ませる等の機構を有する。
【００１４】
前述のように本発明の接続器具は、プラグ部とソケット部から構成され、各部品の流路には応力で開閉する弁を有しており、両者を接続することによって、両者の弁が開の状態になり、メタノール水溶液を供給することができる。
ところで、メタノール水溶液供給用カートリッジの供給口や燃料電池の補給口に接続器具を取り付けたことにより、メタノール水溶液供給用カートリッジの寸法や電子機器筐体側の燃料電池部から接続器具部がはみ出し、このまま接合した場合には、メタノール水溶液供給用カートリッジと電子機器筐体側の燃料電池部とで隙間（デッドスペース）が生じる。携帯用電子機器類では、携帯用とするために小型化は必須要件であり、接続器具を取り付けたことによって生じたデッドスペースを無くすことが必要であり、この解決策として、メタノール水溶液供給用カートリッジの形状に、接続器具が収納できるスペースを設けたものである。
【００１５】
また、本発明を達成する好適な他の機構は、メタノール水溶液供給用カートリッジにおいて、該メタノール水溶液供給用カートリッジの供給口と該直接形メタノール燃料電池の燃料補給口とが、バネの押圧によって接続していること、又、メタノール水溶液供給用カートリッジの外寸法内に接続器具が収納できる形状であることが好ましい。ここで使用する接続器具の接続時の流路を開状態にするための押圧を維持するには、バネの押圧力による方法である。この方法により、メタノール水溶液供給用カートリッジの脱着を簡単に行うことができる。
接続器具の接続を維持する方法としてロック機構やある応力以上で嵌め込ませる方法は、接続器具同士（プラグ部とソケット部）を脱着する際にメタノール水溶液供給用カートリッジを持ちながら、ロック機構の施錠や開錠、あるいは押したり引たりする腕力を必要とする。しかしながら、後述のバネによる応力で接続する方法ではロック機構の施錠や開錠、あるいは押したり引たりする腕力を必要としない。また、メタノール水溶液供給用カートリッジの形状に、接続金具が収納できるスペースを設けることによって、接続器具を取り付けたことによって生じたデッドスペースを無くすことができる。
【００１６】
なお、本発明において電子機器類の筐体に該メタノール水溶液供給用カートリッジの形状に合わせた収納手段としての収納ガイドを設けることで、メタノール水溶液供給用カートリッジの組み込みをより簡単に行うことができる。
本発明に係るメタノール溶液供給用カートリッジ本体や供給口、直接形メタノール燃料電池や燃料タンクの燃料補給口、接続器具等の材質は、金属類やプラスチック類の中から、生産性、コスト、リサイクル性等を考慮して適宜選択される。また、メタノール溶液供給用カートリッジの供給口や直接形メタノール燃料や燃料タンクの燃料補給口の口径は、メタノール溶液供給用カートリッジの容量、直接形メタノール燃料電池内の燃料タンクの容量及び供給速度等を考慮して決定される。
又、メタノール溶液の供給を容易にするため、メタノール溶液供給用カートリッジ及び直接形メタノール燃料電池あるいは内蔵する燃料タンクには、圧力を調整するための圧力調整弁等の補助機構を有していても良い。
【発明の効果】
【００１７】
本発明によれば、直接形メタノール燃料電池において、燃料であるメタノール水溶液を燃料カートリッジから補給する際に、メタノール水溶液の漏洩を防止し、燃料カートリッジを着脱自在に装着可能で、デッドスペースを無くす燃料カートリッジと電子機器を提供することができる。
【発明を実施するための最良の形態】
【００１８】
以下、本発明を実施するための最良の形態を実施例を用いて詳細に説明するが、本発明は本実施例に限定されるものではない。
【実施例１】
【００１９】
図１は、本発明のメタノール水溶液供給用カートリッジの供給口と燃料電池の燃料補給口とが接続器具で接続し、電子機器筐体に収納された状態を示す概略図である。（ａ）がメタノール水溶液供給用カートリッジの上面図、（ｂ）がメタノール水溶液供給用カートリッジを保持する収納手段を有する電子機器筐体２の上面図及び（ｃ）が電子機器筐体２の収納手段１３内にメタノール水溶液供給用カートリッジ１が収納された上面図である。
（ａ）に示すように、メタノール水溶液供給用カートリッジ１は、燃料を収納する燃料室となる筐体１７と、供給口３（口径：約４mm）と、接続器具のプラグ部４とを有する。供給口３とプラグ部４とは筐体１７内に凹んだ形で形成したものである。又、（ｂ）に示すように、収納手段１３には接続器具のソケット部５と、燃料電池の燃料の補給口６（口径：約６mm）が、メタノール水溶液供給用カートリッジ１の供給口３と接続器具のプラグ部４に対応して収納手段１３内に凸状に形成したものである。更に、（ｃ）に示すように、メタノール水溶液供給用カートリッジ１は、電子機器筐体２の収納手段１３内に供給口３と補給口６とが後述する図２に示すようにメタノール水溶液が漏洩しないように密着して結合され、メタノール水溶液の流路が形成されるものである。メタノール水溶液供給用カートリッジ１は燃料電池に対して上部にあり、液体燃料が落下して補給口６に流入して燃料電池に供給される。以降の実施例においても同様である。
【００２０】
接続器具は、ポリエチレン製で、プラグ部４とソケット部５とが接続されなければ流路が開かないものである。また、電子機器の燃料電池の補給口６に接続器具のソケット部５を取り付けた。メタノール水溶液供給用カートリッジ１から燃料電池内にメタノール水溶液を供給するために、接続器具のプラグ部４とソケット部５を接続させるため、右手でメタノール水溶液供給用カートリッジ１を持ち、左手で接続器具を触れながら、接続ロック機構を作動させ、接続した。接続したことにより、メタノール水溶液供給用カートリッジ１から燃料電池にメタノール水溶液が供給されるが、この時、メタノール水溶液漏れは発生しなかった。接続金具（プラグ部４及びソケット部５）はメタノール水溶液供給用カートリッジ１の形状内に収納させることで、電子機器筐体２とのデッドスペースを無くすことができた。
また、メタノール水溶液供給用カートリッジ１を取り外すため、右手でメタノール水溶液供給用カートリッジ１を支え、左手で接続器具のロック機構を解除して、プラグ部４とソケット部５とを切り離した。この時、切り離した瞬間にプラグ部４とソケット部５の流路が閉じたため、メタノール水溶液の漏れは発生しなかった。
【００２１】
図２は、本発明に係る接続器具の概略断面図であり、(ａ)がメタノール溶液供給用供給口側に接続される接続器具及び（ｂ）が燃料電池側の燃料補給口側に接続される接続器具の概略断面図である。図２に示すように、ポリエチレン製メタノール溶液供給用カートリッジ１の供給口３（口径：４mm）及び直接形メタノール燃料電池用燃料の補給口６の先端に、プラグ部４及びソケット部５を有し、プラグ部４及びソケット部５は流路弁９、１８がリング状のストッパ１４に圧力バネ１０によって共に押し付けられ流路が遮断されているが、接続時の供給口３側及び補給口６側での互いの押圧部材１５の押圧によって流路弁９、１８が共に開かれる。流路弁９、１８にはリング状のストッパ１４に対応して複数個の貫通孔１６が設けられている。又、バネ押え１２の中心に貫通孔１６が形成されており、燃料の流路が形成されている。接続器具のプラグ部４がオス部として、直接形メタノール燃料電池の補給口６の先端に設けられた接続器具の他方のメス部１１内に挿入される。メタノール溶液供給用カートリッジの供給口３から、直接形メタノール燃料電池用燃料の補給口６にメタノール溶液を供給するため、オス部とメス部１１を付き合せて、押圧によって接続した。この接続により、オス部の流路弁９とメス部１１の流路弁１８は反発し合って圧力バネ１０を押し戻して流路が開かれ、メタノール溶液を漏らすことなく、直接形メタノール燃料電池の補給口６に供給することができた。また、補給終了後に、接続をはずしたが、カートリッジの燃料供給側及び燃料補給口側からのメタノール溶液漏れは発生しなかった。
【００２２】
本実施例によれば、メタノール溶液供給用カートリッジの供給口３と直接形メタノール燃料電池の補給口６とをワンタッチで着脱自在に接続することができ、又、流路弁９，１８が互いの押圧によって開かれるためにメタノール水溶液を漏れが無く供給でき、接続をはずしても、補給口６側からのメタノール溶液が漏れ無く、更にデッドスペースを無くす効果を有する。
【実施例２】
【００２３】
図３は、本発明の電子機器の筐体に付属したバネによって押圧されてメタノール溶液供給用カートリッジの供給口と燃料電池の燃料補給口とが接続器具で接続し、電子機器の筐体に収納された状態を示す概略図である。
本実施例が実施例１と異なる点は、ポリエチレン製メタノール水溶液供給用カートリッジ１を電子機器筐体２に設けられたリング状のバネ７と押圧板８とによって収納手段１３に押圧固定したものであり、他は実施例１と同じである。メタノール水溶液供給用カートリッジ１から燃料電池内にメタノール水溶液を供給するために、接続器具のプラグ部４とソケット部５を接続させるため、右手でメタノール水溶液供給用カートリッジ１を持ち、プラグ部４とソケット部５を付き合わせて接続し、メタノール水溶液供給用カートリッジ１を片手で携帯用の電子機器筐体２に収納できた。
これによって、メタノール水溶液供給用カートリッジ１には電子機器筐体２に付属したバネ７の力が押圧板８を介して接続器具側に押圧し、この押圧によってプラグ部４とソケット部５の接続を維持することができ、流路弁９，１８が開の状態を維持することにより、メタノール水溶液供給用カートリッジ１から燃料電池にメタノール水溶液が供給される。この時、メタノール水溶液漏れは発生しなかった。又、接続金具はメタノール水溶液供給用カートリッジ１の形状内に収納させることで、電子機器筐体２とのデッドスペースを無くすことができた。次に、メタノール水溶液供給用カートリッジ１を取り外すため、右手でメタノール水溶液供給用カートリッジ１を掴み、電子機器筐体２から取り外した。筐体２から取り外すと同時にプラグ部４とソケット部５も外れたが、この時に両部の流路が閉ざされてメタノール水溶液は漏れなかった。
【００２４】
本実施例においても、メタノール溶液供給用カートリッジの供給口３と直接形メタノール燃料電池の補給口６とをワンタッチで着脱自在に接続することができ、又、流路弁９，１８が互いの押圧によって開かれるためにメタノール水溶液を漏れが無く供給でき、接続をはずしても、補給口６側からのメタノール溶液が漏れ無く、更にデッドスペースを無くす効果を有する。
【実施例３】
【００２５】
図４は、本発明のメタノール水溶液供給用カートリッジの供給口と燃料電池の燃料補給口とが接続器具で接続し、電子機器筐体に収納された状態を示す概略図である。（ａ）がメタノール水溶液供給用カートリッジの上面図、（ｂ）がメタノール水溶液供給用カートリッジを保持する収納手段を有する電子機器筐体２の上面図及び（ｃ）が電子機器筐体２の収納手段１３内にメタノール水溶液供給用カートリッジ１が収納された上面図である。
本実施例が実施例１と異なる点は、ポリエチレン製のメタノール水溶液供給用カートリッジ１の供給口３と接続器具のプラグ部４とを筐体１７の外側に凸状に形成し、更に収納手段１３には接続器具のソケット部５と燃料電池の燃料の補給口６（口径：約６mm）とを、メタノール水溶液供給用カートリッジ１の供給口３と接続器具のプラグ部４に対応させて収納手段１３内に凹状に形成したものである。
【００２６】
本実施例においても、実施例１と同様に、メタノール溶液供給用カートリッジの供給口３と直接形メタノール燃料電池の補給口６とをワンタッチで着脱自在に接続することができ、又、流路弁９，１８が互いの押圧によって開かれるためにメタノール水溶液を漏れが無く供給でき、接続をはずしても、補給口６側からのメタノール溶液が漏れ無く、更にデッドスペースを無くす効果を有する。
【実施例４】
【００２７】
図５は、本発明の電子機器の筐体に付属したバネによって押圧されてメタノール溶液供給用カートリッジの供給口と燃料電池の燃料補給口とが接続器具で接続し、電子機器の筐体に収納された状態を示す概略図である。
本実施例が実施例３と異なる点は、ポリエチレン製メタノール水溶液供給用カートリッジ１を電子機器筐体２に設けられたリング状のバネ７と押圧板８とによって収納手段１３に押圧固定したものであり、他は実施例３と同じである。メタノール水溶液供給用カートリッジ１から燃料電池内にメタノール水溶液を供給するために、接続器具のプラグ部４とソケット部５を接続させるため、右手でメタノール水溶液供給用カートリッジ１を持ち、プラグ部４とソケット部５を付き合わせて接続し、メタノール水溶液供給用カートリッジ１を片手で携帯用の電子機器筐体２に収納できた。
【００２８】
本実施例においても、実施例３と同様に、メタノール溶液供給用カートリッジの供給口３と直接形メタノール燃料電池の補給口６とをワンタッチで着脱自在に接続することができ、又、流路弁９，１８が互いの押圧によって開かれるためにメタノール水溶液を漏れが無く供給でき、接続をはずしても、補給口６側からのメタノール溶液が漏れ無く、更にデッドスペースを無くす効果を有する。
【実施例５】
【００２９】
図６は、本発明のメタノール水溶液供給用カートリッジの供給口と燃料電池の燃料補給口とが接続器具で接続し、電子機器筐体に収納された状態を示す概略図である。（ａ）がポリエチレン製メタノール水溶液供給用カートリッジの上面図、（ｂ）がメタノール水溶液供給用カートリッジを保持する収納手段を有する電子機器筐体２の上面図及び（ｃ）が電子機器筐体２の収納手段１３内にメタノール水溶液供給用カートリッジ１が収納された上面図である。
メタノール水溶液供給用カートリッジ１を２個のリング状の電子機器の筐体に付属したバネ７と押圧板８とを胴部に有する収納手段１３に押圧固定したものであり、接続器具は実施例１と同じである。メタノール水溶液供給用カートリッジ１から燃料電池内にメタノール水溶液を供給するために、接続器具のプラグ部４とソケット部５を接続させるため、右手でメタノール水溶液供給用カートリッジ１を持ち、プラグ部４とソケット部５を付き合わせて接続し、メタノール水溶液供給用カートリッジ１を片手で携帯用の電子機器筐体２に収納できた。
（ａ）に示すように、メタノール水溶液供給用カートリッジ１は、供給口３（口径：約４mm）と接続器具のプラグ部４とを燃料を収納する燃料室となる筐体１７の胴部に設けたものである。供給口３とプラグ部４とは筐体１７内に凹んだ形で形成したものである。又、（ｂ）に示すように、収納手段１３に、接続器具のソケット部５と燃料電池の燃料の補給口６（口径：約６mm）とを、メタノール水溶液供給用カートリッジ１の供給口３と接続器具のプラグ部４に対応して収納手段１３内に凸状に形成し、更に、メタノール水溶液供給用カートリッジ１を電子機器筐体２に設けられた２個のリング状のバネ部材７と押圧板８とによって収納手段１３に押圧固定したものである。又、（ｃ）に示すように、メタノール水溶液供給用カートリッジ１の供給口と、電子機器筐体２の収納手段１３の補給口６とは図２に示すように対応した構造を有し、メタノール水溶液が漏洩しないように密着して結合され、メタノール水溶液の流路が形成されるものである。
【００３０】
本実施例においても、実施例３と同様に、メタノール溶液供給用カートリッジ１の供給口３と直接形メタノール燃料電池の補給口６とをワンタッチで着脱自在に接続することができ、又、流路弁９，１８が互いの押圧によって開かれるためにメタノール水溶液を漏れが無く供給でき、接続をはずしても、補給口６側からのメタノール溶液が漏れ無く、更にデッドスペースを無くす効果を有する。
又、本実施例において、メタノール溶液供給用カートリッジ１の供給口３とプラグ部４とを筐体１７の外側に凸状に形成し、それらに対応させて収納手段１３のソケット部５と燃料電池の燃料の補給口６とを凹んだ形状に形成しても本実施例と同様の効果を有するものである。
【図面の簡単な説明】
【００３１】
【図１】本発明のメタノール水溶液供給用カートリッジの供給口と燃料電池の燃料補給口とを接続器具で接続し、電子機器筐体に収納された状態を示す概略図である。
【図２】本発明の接続器具を示す断面図である。
【図３】本発明の電子機器筐体に形成したバネによってメタノール溶液供給用カートリッジの供給口と燃料電池の燃料補給口とを接続器具で接続し、電子機器筐体に収納された状態を示す概略図である。
【図４】本発明のメタノール水溶液供給用カートリッジの供給口と燃料電池の燃料補給口とを接続器具で接続し、電子機器筐体に収納された状態を示す概略図である。
【図５】本発明の電子機器筐体に形成したバネによってメタノール溶液供給用カートリッジの供給口と燃料電池の燃料補給口とを接続器具で接続し、電子機器筐体に収納された状態を示す概略図である。
【図６】本発明の電子機器筐体に形成したバネによってメタノール溶液供給用カートリッジの供給口と燃料電池の燃料補給口とを接続器具で接続し、電子機器筐体に収納された状態を示す概略図である。
【符号の説明】
【００３２】
１…メタノール水溶液供給用カートリッジ、２…電子機器の筐体、３…供給口、４…プラグ部、５…ソケット部、６…補給口、７…バネ、８…押圧板、９、１８…流路弁、１０…圧力バネ、１１…メス部、１２…バネ押え、１３…収納手段、１４…ストッパ、１５…押圧部材、１６…貫通孔、１７…筐体。
【図１】
2005116211.tif 000003
【図２】
2005116211.tif 000004
【図３】
2005116211.tif 000005
【図４】
2005116211.tif 000006
【図５】
2005116211.tif 000007
【図６】
2005116211.tif 000008